(57)【特許請求の範囲】
【請求項１】
テレビカメラに組み込まれる操作ユニット装置であって、
該操作ユニット装置がカメラ本体に設けられたユニット装置部と該ユニット装置部に装着される操作ユニット部とからなり、
該操作ユニット部には該テレビカメラに予め設置されている固定スイッチ部の操作機能と同一操作機能の幾つかのスイッチ類が組み込まれているとともに該スイッチ類と該テレビカメラの制御部とを電気的に接続するための端子ピンを有し、
該ユニット装置部は前記端子ピンに差し込まれて電気的に接続可能なコネクタを有し、該操作ユニット部の該端子ピンを該コネクタに差し込んで該操作ユニット部を該ユニット装置部に装着した後、該操作ユニット部をネジにより該ユニット装置部に機械的に固定可能とし、
前記テレビカメラに該ユニット装着部を複数設けて撮影態勢に応じスイッチの操作位置を選択可能としたことを特徴とするテレビカメラの操作ユニット装置。
【請求項２】
前記操作ユニット部に組み込まれる前記スイッチ類が少なくともリターンスイッチを含むスイッチの組み合わせであることを特徴とする請求項１に記載のテレビカメラの操作ユニット装置。
【請求項３】
前記操作ユニット装着は、使用しない前記ユニット装置部を塞ぐ、蓋状ユニット部を備えることを特徴とする請求項１又は２に記載のテレビカメラの操作ユニット装置。
【発明の詳細な説明】
【０００１】
【発明の属する技術分野】
本発明は、スタジオ或いは野外での多様な撮影スタイルに合わせて操作ユニット部を着脱可能にしたテレビカメラの操作ユニット装置に関するものであって、このテレビカメラは、ポータブルテレカメラであり、かつ選択的にスタジオカメラとして兼用することができるタイプのテレビカメラを含むものである。
【０００２】
【従来の技術】
従来、この種のテレビカメラでは、その側面や背面等に、コネクター類を設けたコネクターユニット、スイッチ類やボリューム類を設けたコントロールユニット、各種のアクセサリーを取り付けるためのアクセサリーユニットが取り付けられている。従来、これらのユニットは、これらコネクターユニット、コントロールユニット及びアクセサリーユニットをテレビカメラの本体に直に固定するか、又は、外形形状が全く異なるそれぞれ専用のユニットベースを用いてテレビカメラに取り付けられていた。
【０００３】
一般には、この種のテレビカメラは、カメラマンの肩に乗せて使用する撮影スタイルが標準であるが、三脚上に取り付けてスタジオカメラと同じように撮影するスタイルもあり、近年では、撮影の演出効果を高めるたのに、脇に抱えた撮影スタイル、高い位置からのハイアングル撮影、或いは足元からのローアングル撮影の撮影スタイルがあり、撮影スタイルが多様化している。
【０００４】
【発明が解決しようとする課題】
しかしながら、従来のテレビカメラでは、操作部であるコントロールユニットが固定されているのが一般的であることから、上記のような多様化した撮影スタイルに対応し得るコントロールユニット等の配置とはなっていないのが現状であり、例えばローアングルでの撮影中にリターンスイッチをオンにするには、一旦態勢を直してからコントロールユニットのリターンスイッチを操作する必要があり、その操作を行っている間に撮影機会を逸するおそれがあった。従って、どのような撮影スタイルであっても、その撮影態勢で操作が可能なテレビカメラが望まれている。
【０００５】
本発明は、上記の問題を解決するためになされたものであって、テレビカメラの操作ユニット部を、撮影スタイルに合せて、最も使い勝手の良い位置に設置できるようにしたテレビカメラの操作ユニット装置を提供することを目的としている。
【０００６】
【課題を解決するための手段】
上記の目的を達成するためになされ、請求項１の発明は、テレビカメラに組み込まれる操作ユニット装置であって、
該操作ユニット装置がカメラ本体に設けられたユニット装置部と該ユニット装置部に装着される操作ユニット部とからなり、
該操作ユニット部には該テレビカメラに予め設置されている固定スイッチ部の操作機能と同一操作機能の幾つかのスイッチ類が組み込まれているとともに該スイッチ類と該テレビカメラの制御部とを電気的に接続するための端子ピンを有し、
該ユニット装置部は前記端子ピンに差し込まれて電気的に接続可能なコネクタを有し、該操作ユニット部の該端子ピンを該コネクタに差し込んで該操作ユニット部を該ユニット装置部に装着した後、該操作ユニット部をネジにより該ユニット装置部に機械的に固定可能とし、
前記テレビカメラに該ユニット装着部を複数設けて撮影態勢に応じスイッチの操作位置を選択可能としたことを特徴とするテレビカメラの操作ユニット装置である。
【０００７】
請求項１の発明では、通常使用される撮影スタイルでの操作が容易な位置に操作ユニット部が設けられ、脇に抱えた撮影スタイルや足元からのローアングル撮影等の撮影スタイルに合わせて、操作ユニット部を装着することで、カメラマンがどのような態勢であっても、リターンスイッチ等の操作が可能であり、また、ＩＮＣＯＭ  ＭＩＣスイッチを操作すれば、その他のスタッフとの連絡等が可能となるようになされたテレビカメラの操作ユニット装置である。
【０００８】
また、請求項２の発明は、前記操作ユニット部に組み込まれる前記スイッチ類が少なくともリターンスイッチを含むスイッチの組み合わせであることを特徴とする請求項１に記載のテレビカメラの操作ユニット装置である。
【０００９】
請求項２の発明では、操作ユニット部が少なくともリターンスイッチ（ＲＥＴスイッチ）を含む操作スイッチを組み合わせた操作ユニット部であり、ＲＥＴスイッチに、他にＶＴＲスイッチ、ＩＮＣＯＭ  ＭＩＣスイッチ、ＺＯＯＭスイッチの何れかの少なくとも１つを組み合わせることによって、撮影現場やスタジオでの状況に応じて、最適な操作ができるようにしたテレビカメラの操作ユニット装置である。
【００１０】
また、請求項３の発明は、前記操作ユニット装着が、使用しない前記ユニット装置部を塞ぐ、蓋状ユニット部を備えることを特徴とする請求項１又は２に記載のテレビカメラの操作ユニット装置であり、蓋状ユニット部で不使用部の装着部を塞ぐことで、誤動作を防止することができる作用を有する。
【００１１】
なお、本発明では、操作ユニット部のスイッチ類が固定スイッチ部のスイッチ類と同一操作機能を有するもの同士が並列的に操作し得るように電気的に接続されている。また、操作ユニット部の各スイッチが装着された位置で、所定コードのデジタル信号を送信して、テレビカメラの操作が可能なようになされている。無論、テレビカメラに装着可能な操作ユニット部の何れか一つは、リモートコントロールとして、離れた位置からテレビカメラの操作が可能なようにしてもよい。
【００１２】
【発明の実施の形態】
以下、本発明に係るテレビカメラの操作ユニット装置の実施の形態について、図面を参照して説明する。
【００１３】
先ず、本実施形態のテレビカメラについて、図１を参照して説明する。同図において、テレビカメラ１は、カメラ本体２の前面２ａに光学レンズ３が取り付けられ、カメラ本体２の下面２ｂに肩乗せ部４が取り付けられ、その肩乗せ部４をカメラ本体２の後方に延長させ、カメラ本体２の上面２ｃには、把手部５が取り付けられ、その把手部５にファインダー６やマイクロホン７及び照明用ライト、その他のカメラ付属部品であるアクセサリーが任意に取り付けられる。カメラ本体２の背面２ｄには、カメラアダプターやビデオテープレコーダ（ＶＴＲ）、バッテリーパックやその他の各種機器である周辺機器８が脱着機構９によって、機械的及び電気的に結合し得るようになされ、即ち脱着可能に取り付けられている。
【００１４】
カメラ本体２及び周辺機器８を含む全体をテレビカメラ１と称するものとし、テレビカメラ１の前面１ａ、左右両側面１ｂ，１ｃ、背面１ｄ、上面１ｅ、下面１ｆとする。例えば、前面１ａには、ＲＥＴスイッチとＶＴＲスイッチ等の固定スイッチ部１１が設けられている。側面１ｂには、ボリューム類や各種調整用スイッチ類並びにコネクター部１２が設けられている。また、背面１ｄには、コネクター類が設けられたコネクター部１３等が設けられている。テレビカメラ１の把手部５には、着脱可能な操作ユニット部１５が設けられ、側面１ｂには、着脱可能な操作ユニット部１６が設けられている。また、光学レンズ３には、ズームレンズを駆動するためのズームスイッチ１４が設けられている。
【００１５】
本実施形態では、撮影スタイル、即ち脇に抱えた撮影スタイル、高い位置からのハイアングル撮影、或いは足元からのローアングル撮影等に合わせて、操作ユニット部１５，１６を装着することできる。
【００１６】
図２は、テレビカメラ１の把手部５の拡大斜視図であり、この位置は、操作ユニット部をローアングル撮影に適したテレビカメラとするもので、操作ユニット部１５が把手部５の先端部５ａに設けられている。操作ユニット部１５は、同図（ｂ）〜（ｄ）に示したように、様々な撮影状況に合わせて、機能を選択できるように、各種スイッチが組み合わされている。操作ユニット部１５のスイッチ類の機能は、カメラ本体の前面１ａに設けられた固定スイッチ部１１のＲＥＴスイッチとＶＴＲスイッチ等の少なくとも一つの機能が並列的に操作し得るものである。
【００１７】
同図（ａ）では、操作ユニット部１５ａと蓋状ユニット部１５ｅとが把手部５の先端部５ａを選択的に装着可能であることを示している。把手部５の先端部５ａには、コネクタ５ｃを備えるユニット装着部５ｂが形成されている。操作ユニット部１５ａの底部に接続端子である端子ピンが設けられ、この端子ピンをコネクタ５ｃに差し込み、操作ユニット部１５ａをユニット装着部５ｂに嵌合し、ネジ１８をそれぞれネジ穴５ｄ，５ｅに螺合することによって、操作ユニット部１５ａは、ユニット装着部５ｂに固定される。このテレビカメラは、操作ユニット部１５ａを把手部５のユニット装着部５ｂに装着することで、ローアングル撮影に極めて有効なものとなる。また、蓋状ユニット部１５ｅは、操作機能が設けられていないものであり、すなわち、ローアングル撮影を行わない場合、蓋状ユニット部１５ｅを把手部５の先端部５ａに装着することで、誤動作を防止することができる。
【００１８】
また、操作ユニット部１５ａには、同図（ｂ）に示したように、ＲＥＴスイッチ１Ｓ１、ＲＥＴスイッチ２Ｓ２、ＩＮＣＯＭスイッチＳ４が組み合わされて設けられている。同図（ｃ）の操作ユニット部１５ｂには、ＲＥＴスイッチＳ１、ＶＴＲスイッチＳ３、ＩＮＣＯＭスイッチＳ４の組み合わされている。また、同図（ｄ）の操作ユニット部１５ｃには、ＲＥＴスイッチＳ１、ＩＮＣＯＭスイッチＳ４に加えて、ズームスイッチＳ５が組み合わされている。無論、このスイッチの組み合わせ以外に種々の組み合わせが可能である。
【００１９】
因みに、ＲＥＴスイッチは、スタジオ等に配置されている他のカメラで撮影された映像を確認するために設けたスイッチであり、ＲＥＴスイッチ１Ｓ１、ＲＥＴスイッチ２Ｓ２は、それぞれ異なったカメラで撮影された映像を確認するためのスイッチである。また、ＩＮＣＯＭスイッチＳ４は、カメラマンとその他のスタッフとの連絡用のマイクスッチであり、ＺＯＯＭスイッチは、広角から望遠又は望遠から広角へとレンズを切り替えるためのスイッチである。操作ユニット部１５ａ〜１５ｃに設けたスイッチ類は、カメラ本体２に装着された場合、カメラ本体２の前面１ａに設けた固定スイッチ部１１のＲＥＴスイッチとＶＴＲスイッチ等と並列に電気的に接続される。なお、操作ユニット部１５のスイッチ類は、カメラ本体２の機能を制御する制御部とコード化したデジタル信号を伝送して接続されてもよいし、その伝送手段が光学的なものであってもよい。
【００２０】
操作ユニトット部１５ｂの用途について説明すると、例えばカメラ本体２に周辺機器８としてＶＴＲ（Video Tape Recorder）が組み合わされている場合、把手部５の先端部５ａには、同図（ｃ）の操作ユニット部１５ｂを装着することで、ローアングル撮影に適したテレビカメラとすることができるとともに、ＶＴＲスイッチＳ３のオン・オフすれば、テレビカメラをビデオカメラとしての機能を付与することができる。無論、ＲＥＴスイッチＳ１をオンとすれば、他のカメラの映像を確認できるし、ＩＮＣＯＭスイッチＳ４をオンとすれば、その他のスタッフとの連絡が可能である。
【００２１】
また、これらの操作ユニット部１５ａ〜１５ｃの各操作ユニット部のレンズ側の前方部分が、僅かに突出した形状とすれば、カメランマンが把手部５を握ったとき親指が掛かり易くなり、カメラのレンズ側を上下に向けるときに好都合である。また、例えば、操作ユニット部１５ａ〜１５ｃに設けた各スイッチ類を操作ユニット部１５に設けた凹部内に配置して、スイッチのヘッド部が凹部から突出しないようにすることで、不用意にスイットがオン・オフされるのを防止することができる。
【００２２】
さらに、図３は、テレビカメラ１の側面１ｂの下部後方の一部切欠図であり、この部分には、操作ユニット部１６が装着されるユニット装着部１７が設けられている。操作ユニット部１６には、ユニット装着部１７を覆う蓋状部材である操作ユニット部１６ｂが設けられている。操作ユニット部１６が装着されたテレビカメラ１は、脇に抱えて撮影を行う場合に有効である。その場合、固定スイッチ部１１がカメラの前面に設けられているので、操作が煩わしくなるが、テレビカメラ１の側面１ｂの下部後方に操作ユニット部１６を装着することで、ＲＥＴスイッチとＶＴＲスイッチ等の操作が容易となる。
【００２３】
操作ユニット部１６ａは、図２（ｂ）に示したＲＥＴスイッチ１、ＲＥＴスイッチ２、ＩＮＣＯＭスイッチが設けられている。無論、図２（ｃ），（ｄ）に示した組み合わせのスイッチ類であってもよい。また、ユニット装着部を使用しない場合は、蓋状部材で操作スイッチが設けられていない蓋状ユニット部をユニット装着部１７を覆うように取り付ける。さらに、上記形態と同様に、操作ユニット部１６は、ユニット装着部１７に装着する場合は、操作ユニット部１６の端子ピンをコネクタ部１７ａに差し込んで、ネジ１８でユニット装着部１７のネジ穴１７ｂに螺合することで固定することができる。
【００２４】
また、上記実施形態において、上記操作ユニット部１５，１６のカメラ本体の制御部との信号伝送には、多接点のコネクタを利用してもよいし、シリアルパレレル変換を利用した通信機能を使えば接点数も減らすことができる。また、光コネクタも使用可能である。
【００２５】
また、上記実施形態では、操作ユニット部をネジで固定する形態について説明したが、これに限定することなく、爪状部材等をカメラ本体２に嵌合するようにして、装着してもよいことは明きらかである。
【００２６】
【発明の効果】
上述のように、本発明によれば、テレビカメラの本体に予め固定された固定スイッチ部が設けられ、かつ把手部に操作ユニット部が装着し得る装着部を備えられ、かつカメラ本体にも操作ユニット部が装着し得る装着部を設けられており、カメラマンの多様な撮影スタイルに対応することができる極めて実用的なものである。
【００２７】
また、本発明によれば、操作ユニット部が少なくともリターンスイッチを含む操作スイッチの組み合わせによっており、カメラ本体にＶＴＲを連結した場合には、ＶＴＲスイッチが設けられた操作ユニット部に交換することで、スタジオ内で使用する場合に、リターンスイッチを操作しながらビデオ撮影が可能となり、撮影形態や撮影状況に合わせてテレビカメラを作り替えることができ、極めて有効なものである。
【００２８】
また、本発明によれば、不使用の装着部には、蓋状ユニット部で装着部を塞ぐことで、誤操作を排除することができる効果を有する。
【図面の簡単な説明】
【図１】（ａ），（ｂ）は、本発明に係るテレビカメラの操作ユニット部の実施形態を示す側面図と正面図である。
【図２】（ａ）は、把手部の操作ユニット部を説明する斜視図であり、（ｂ）〜（ｄ）は、操作ユニット部を示す図である。
【図３】  カメラ本体の操作ユニット部を説明する平面図である。
【符号の説明】
１  テレビカメラ
２  カメラ本体
３  光学レンズ
４  肩乗せ部
５  把手部
６  ビューファインダー
７  マイクロホン
８  周辺機器
９  脱着機構
１１  固定スイッチ部
１２，１３  コネクター部
１４  ズームスイッチ
１５，１６  操作ユニット部
【図１】
0004602587.tif 000002
【図２】
0004602587.tif 000003
【図３】
0004602587.tif 000004